【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数のサブフレームを有するフレームにおいて、第１のサブフレームタイプと第２のサブフレームタイプとを有する送信をサポートするワイヤレス通信ネットワークにおける通信を確立することと、ここで、前記第１のサブフレームタイプが第１の持続時間のシンボルを備え、前記第２のサブフレームタイプが、前記第１の持続時間よりも短い第２の持続時間のシンボルを備え、
前記フレームのサブフレームにおいて前記第１のサブフレームタイプを有する送信の間に、前記第２のサブフレームタイプを有する送信を、前記フレームにおいて、開始するためのトリガについて所定のワイヤレス通信リソースを監視することと
を備える、ワイヤレス通信のための方法。
【請求項２】
前記トリガが受信されたと決定することと、
前記第２のサブフレームタイプを有する送信を受信することと
をさらに備え、
前記決定することと前記受信することとの間のレイテンシが、前記第１のサブフレームタイプを有する送信を開始することと、前記第１のサブフレームタイプを有する送信を受信することとの間のレイテンシよりも小さい、
請求項１に記載の方法。
【請求項３】
前記監視することが、前記トリガについて専用周波数リソースを監視することを備え、前記専用周波数リソースが、前記監視することのために連続的に利用可能な専用周波数分割多重化（ＦＤＭ）サブバンドを備える、請求項１に記載の方法。
【請求項４】
前記監視することが、前記トリガについて専用周波数リソースを監視することを備え、前記専用周波数リソースの帯域幅が、前記専用周波数リソースを使用して前記トリガを送信または受信するように構成されたデバイスの数に基づく、請求項１に記載の方法。
【請求項５】
前記監視することが、前記トリガについて専用周波数リソースを監視することを備え、前記専用周波数リソースが、ＦＤＭリソースの２つまたはそれ以上の不連続リソースブロックを備える、請求項１に記載の方法。
【請求項６】
前記監視することは、
前記トリガについて専用時間リソースを監視すること、ここにおいて、前記専用時間リソースが、時分割多重化（ＴＤＭ）サブフレームのあらかじめ定義された部分を備え、前記あらかじめ定義された部分が、前記第１の持続時間を有する前記ＴＤＭサブフレームの１つまたは複数のシンボルを備え、前記ＴＤＭサブフレームの前記１つまたは複数のシンボルが、前記ＴＤＭサブフレームの第１のシンボルと前記ＴＤＭサブフレームの第２のシンボルとを備え、前記１つまたは複数のシンボルに続く前記ＴＤＭサブフレームの少なくとも１つの後続のシンボルが、前記第２の持続時間を有する、
を備える、請求項１に記載の方法。
【請求項７】
前記監視することがユーザ機器（ＵＥ）によって実行され、前記方法は、
前記トリガが受信されたと決定することと、
前記ＵＥにおいて前記第２のサブフレームタイプを有する１つまたは複数のサブフレームを受信するために使用されるべきである送信リソースを決定することと
をさらに備え、
前記トリガが受信されたと前記決定することは、
前記ＵＥに関連付けられたあらかじめ定義されたリソース上で前記トリガが受信されたと決定すること、または
前記ＵＥを識別する識別情報を前記トリガが含むと決定すること
のうちの１つまたは複数を備える、請求項１に記載の方法。
【請求項８】
前記監視することが基地局によって実行され、前記方法は、
前記トリガがユーザ機器（ＵＥ）から受信されたと決定することと、
前記第２のサブフレームタイプを有する１つまたは複数のサブフレームを送信するためのリソースの割当てを前記ＵＥに送信することと
をさらに備える、請求項１に記載の方法。
【請求項９】
前記トリガが、
ＵＥ識別情報、
遅延要件、または
帯域幅要件
のうちの１つまたは複数を備える、請求項８に記載の方法。
【請求項１０】
前記トリガが前記ＵＥから受信されたと前記決定することは、
２つまたはそれ以上のトリガが２つまたはそれ以上のＵＥから受信されたと決定することと、
前記２つまたはそれ以上のＵＥ間の競合を解決することと
を備え、
前記割当てを前記送信することが、前記２つまたはそれ以上のＵＥ間の競合を前記解決することに応答して、リソースの前記割当てを前記２つまたはそれ以上のＵＥのうちの１つに送信することを備える、
請求項８に記載の方法。
【請求項１１】
前記監視することが基地局によって実行され、前記方法は、
前記トリガがユーザ機器（ＵＥ）から受信されたと決定することと、
前記第２のサブフレームタイプを有するサブフレームを備える自律送信を前記ＵＥから受信することと
をさらに備える、請求項１に記載の方法。
【請求項１２】
ワイヤレス通信のための方法であって、
複数のサブフレームを有するフレームにおいて、第１のサブフレームタイプと第２のサブフレームタイプとを有する送信をサポートするワイヤレス通信ネットワークにおける通信を確立することと、ここで、前記第１のサブフレームタイプが第１の持続時間のシンボルを備え、前記第２のサブフレームタイプが、前記第１の持続時間よりも短い第２の持続時間のシンボルを備え、
前記第２のサブフレームタイプを有する１つまたは複数のサブフレームを使用してデータが送信されるべきであると決定することと、
前記第１のサブフレームタイプを有する送信の間に、前記第２のサブフレームタイプを有する送信を、前記フレームにおいて、開始するために、所定のワイヤレス通信リソースを使用してトリガを送信することと
を備える、ワイヤレス通信のための方法。
【請求項１３】
前記方法が基地局によって実行され、前記方法が、
前記トリガに続いて、前記第２のサブフレームタイプを有する前記１つまたは複数のサブフレームを送信すること
をさらに備える、請求項１２に記載の方法。
【請求項１４】
ワイヤレス通信のための装置であって、
複数のサブフレームを有するフレームにおいて、第１のサブフレームタイプと第２のサブフレームタイプとを有する送信をサポートするワイヤレス通信ネットワークにおける通信を確立するための手段と、ここで、前記第１のサブフレームタイプが第１の持続時間のシンボルを備え、前記第２のサブフレームタイプが、前記第１の持続時間よりも短い第２の持続時間のシンボルを備え、
前記フレームのサブフレームにおいて前記第１のサブフレームタイプを有する送信の間に、前記第２のサブフレームタイプを有する送信を、前記フレームにおいて、開始するためのトリガについて所定のワイヤレス通信リソースを監視するための手段と
を備える、ワイヤレス通信のための装置。
【請求項１５】
ワイヤレス通信のための装置であって、
複数のサブフレームを有するフレームにおいて、第１のサブフレームタイプと第２のサブフレームタイプとを有する送信をサポートするワイヤレス通信ネットワークにおける通信を確立するための手段と、ここで、前記第１のサブフレームタイプが第１の持続時間のシンボルを備え、前記第２のサブフレームタイプが、前記第１の持続時間よりも短い第２の持続時間のシンボルを備え、
前記第２のサブフレームタイプを有する１つまたは複数のサブフレームを使用してデータが送信されるべきであると決定するための手段と、
前記第１のサブフレームタイプを有する送信の間に、前記第２のサブフレームタイプを有する送信を、前記フレームにおいて、開始するために、所定のワイヤレス通信リソースを使用してトリガを送信するための手段と
を備える、ワイヤレス通信のための装置。